(57)【要約】【課題】パイプの組み立てによる構造を応用すれば肢体不自由者や老人の入浴補助装置として利用でき、家族や介護人の負担を軽減させる。入浴中での使用は家族の手を空けることができる  浴槽において入浴中に顔を沈むのを防ぐ事を目的とした入浴補助装置に関する。【解決手段】入浴時に身体を支持するために、軽量樹脂製パイプの長さの違う数本と、そのパイプを接続できるＬ型樹脂製の接続具、およびＴ型の樹脂製の接続具とで、頭部を固着できるように組み立て、パイプの端部を風呂の縁に据え置くことができるように各部品をセットしている入浴補助用装置。【選択図】図１
0003145824.tif 000002
【実用新案登録請求の範囲】
【請求項１】
入浴時に身体を支持するために、２０〜５０ｍｍΦの軽量樹脂製パイプの１００〜１５０ｍｍと、１５０〜２００ｍｍと、２００〜３００ｍｍとの各々数本と、そのパイプを接続できるＬ型樹脂製の接続具４〜６本、およびＴ型の樹脂製の接続具８〜１０本とで、頭部を固着できるように組み立て、パイプの端部を４箇所で風呂の縁に据え置くことができるように各部品をセットできるようにしていることを特徴とした入浴補助用装置。
【請求項２】
請求項１において、軽量樹脂製のパイプは、塩化ビニール、ポリオレフィンであって、パイプの厚さを１ｍｍ〜３ｍｍで、三種の長さの異なるパイプからなっていることを特徴とした入浴補助装置。
【請求項３】
請求項１において、軽量樹脂製のＬ型、およびＴ型の接続具は、塩化ビニール、またはポリオレフィンであって、各接続部に雌型のパイプを２０ｍ〜５０ｍｍの長さにして、当該樹脂製パイプと容易に接合できるようにしていることを特徴とした入浴補助装置。
【請求項４】
請求項１において、樹脂製パイプと樹脂製の接続具の接合は、頭部への接合における前面部と後面部との４箇所で、取り外しを容易にできるようにしていることを特徴とした入浴補助装置。
【請求項５】
請求項１において、入浴時に顔が沈むのを防ぐため、顎、首、頭を安定に支えるようにした、取り外し可能な浮き枕を上部に取り付けられるようにしていることを特徴とした入浴補助装置。
【考案の詳細な説明】
【技術分野】
【０００１】
本考案は風呂場で浴槽の縁を利用して、簡単に据え置きでき顔を水面に浸けない目的として考案した入浴補助装置である。このパイプの構造を応用すれば肢体不自由者や老人の入浴補助装置として利用できる。
【背景技術】
【０００２】
入浴中睡眠で体制をくずす事や、血圧などの変化で意識を失って、浴槽内に顔をつけて溺死する場合がある。この予防対策として健康に問題を持っている方に、入浴中の溺死をなくする補助具などが提案されている。（特許文献１〜３参照）
【０００３】
従来風呂場においていろんな事故があるなかで溺死の問題も深刻である。
しかし十分な補助具はなく、浮き輪タイプ、浴槽の底に置くものなどが提案されているが、操作が煩雑である（特許文献４〜７参照）。
【０００４】
【特許文献１】特開平０８−１５００９４号
【特許文献２】特開２０００−２０１９９２号
【特許文献３】特開２００３−１８０５４０号
【特許文献４】実用新案登録第３０７０３１８号
【特許文献５】実用新案登録第３０４８４５７号
【特許文献６】実開平６−２３５３５号
【特許文献７】実開平５−８２４１７号
【考案の開示】
【考案が解決しようとする課題】
【０００５】
核家族化が進んだ今日で家族の問題は入浴中に不慮の事故で顔が浸かってさえいなければ助かった事例があることから予防対策を目的とした考案である。  又身体的に不安定な姿勢を一時的に保持する目的にも使用できる。
【０００６】
本考案は風呂場で安全 且つ、確実に顔が浸からない事を目的としており、危険を防止し、家族人の負担を軽くすることが課題である。
【課題を解決するための手段】
【０００７】
入浴時に身体を支持するために、２０〜５０ｍｍΦの軽量樹脂製パイプの１００〜１５０ｍｍと、１５０〜２００ｍｍと、２００〜３００ｍｍとの各々数本と、そのパイプを接続できるＬ型樹脂製の接続具４〜６本、およびＴ型の樹脂製の接続具８〜１０本とで、頭部を固着できるように組み立て、パイプの端部を風呂の縁に据え置くことができるように各部品をセットしている入浴補助用装置である。
【０００８】
軽量樹脂製のパイプは、塩化ビニール、ポリオレフィンであって、パイプの厚さを１ｍｍ〜３ｍｍである。軽量樹脂製のＬ型、およびＴ型の接続具は、塩化ビニール、またはポリオレフィンであって、各接続部に雌型のパイプを２０ｍ〜５０ｍｍの長さにして、当該樹脂製パイプと容易に接合できる。
【０００９】
樹脂製パイプと樹脂製の接続具の接合は、前面部の４箇所で、取り外しを容易にできるように接続にしている入浴補助装置である。
【００１０】
入浴時に顔が沈むのを防ぐため、顎、首、頭を安定に支えるようにした、取り外し可能な浮き枕を上部に取り付けられるようにしていることを特徴とした入浴補助装置。
【考案の効果】
【００１１】
本考案は、以上説明したように構成されているので、以下に記載されるような効果を奏する。
入浴中に入浴補助装置に固定することにより、家族人の手が空き、安心して用が足せる。  肢体不自由児家庭用入浴補助装置は家族の負担を軽減できる。
【考案を実施するための最良の形態】
【００１２】
伸縮調整及び風呂の縁とパイプに対しての滑り止めを付けたパイプ（１）とそれに組み合わせる（２）も（１）同様にして、組み合わせし、風呂の縁に据え置くタイプを特徴とした入浴補助装置である。
【００１３】
入浴中に顔を沈むのを防ぐため、顎を図中（３）または（４）にて支え、尚且つ脇の下で支える事を特徴とした装置。人が入る前に（１）側を浴槽の縁にセットする、スムーズにパイプを沈めるのに必要な水抜き穴も加工、次に人が浴槽内に入り首を（５）のパイプの間に収め、胴体も（６）のパイプの間に収める。（２）側を（１）側の４本ともジョイントに挿入する。
両方の腕は、浴槽の中に沈んでいるパイプの外側に出ている状態にする。
【実施例１】
【００１４】
浴槽のサイズは役８５０ｍｍ幅、１３００ｍｍ長さで膝を曲げない足全体を延ばし少し寝そべる程度である。
図３、図４で示すように、入浴補助装置の組み立ての手順は、先に浴槽に浸ける側の首幅に該当するパイプ（２）２００ｍｍ長さの両サイドにＴ型ジョイント（５）を継ぎ、次に肩幅に該当するパイプ（３）１５０ｍｍを取り付ける。
【００１５】
その先にＴ型ジョイント（５）を継ぎ足し風呂の淵に設定するパイプ（１）２００ｍｍと腕を保持するパイプ（７）３００ｍｍを取り付け、その先にＬ型ジョイントを取り付ける。顎を支える側も同様に首幅に該当するパイプ（２）２００ｍｍ長さの両サイドにＴ型ジョイント（５）を継ぐ。
【００１６】
次に肩幅に該当するパイプ（３）１５０ｍｍを取り付けその先にＴ型ジョイント（５）を継ぎ足し風呂の淵に設定するパイプ（１）２００ｍｍと腕を保持するパイプ（７）を取り付ける。先に浴槽に浸ける側のパイプ（イ）（ロ）（ハ）（ニ）をジョイント部の（イ′）（ロ′）（ハ′）（ニ′）に合体させる。
【００１７】
図２は本体の側面であり、各点の位置を示す。上記した三角形の内角度の変化を示す実施例である。
【実施例２】
【００１８】
浴槽のサイズは役７５０ｍｍ幅、１０００ｍｍ長さで膝を曲げない足全体を延ばす程度。
図３、図４で示すように、入浴補助装置の組み立ての手順は、先に浴槽に浸ける側の首幅に該当するパイプ（２）２００ｍｍ長さの両サイドにＴ型ジョイント（５）を継ぐ。
【００１９】
次に肩幅に該当するパイプ（３）１００ｍｍを取り付けその先にＴ型ジョイント（５）を継ぎ足し風呂の淵に設定するパイプ（１）２００ｍｍと腕を保持するパイプ（７）３００ｍｍを取り付け、その先にＬ型ジョイントを取り付ける。
【００２０】
顎を支える側も同様に首幅に該当するパイプ（２）２００ｍｍ長さの両サイドにＴ型ジョイント（５）を継ぎ、次に肩幅に該当するパイプ（３）１００ｍｍを取り付けその先にＴ型ジョイント（５）を継ぎ足し風呂の淵に設定するパイプ（１）２００ｍｍと腕を保持するパイプ（７）を取り付ける。先に浴槽に浸ける側のパイプ（イ）（ロ）（ハ）（ニ）をジョイント部の（イ′）（ロ′）（ハ′）（ニ′）に合体させる。
【００２１】
２図は本体の側面であり、各点の位置を示す。上記した三角形の内角度の変化を示す実施例である。
【図面の簡単な説明】
【００２２】
【図１】浴槽にセットした状態図
【図２】組み立て立体図
【図３】パイプ、接続具の部品詳細図
【図４】セット前の部品組み立て状態図
【図５】入浴使用時の平面図
【図６】使用時側面図
【図７】使用時正面図
【符号の説明】
【００２３】
１．軽量樹脂パイプＡ（大））
２．軽量樹脂パイプＢ（中）
３．軽量樹脂パイプＣ（小）
４．Ｌ型樹脂接続具
５．Ｔ型樹脂接続具
６．平行樹脂接続具
イ、ロ、ハ、ニ、イ′、ロ′、ハ′、ニ′、接合部
１０．入浴補助装置
１１．浴槽
１２．人体（頭部）
【図１】
0003145824.tif 000003
【図２】
0003145824.tif 000004
【図３】
0003145824.tif 000005
【図４】
0003145824.tif 000006
【図５】
0003145824.tif 000007
【図６】
0003145824.tif 000008
【図７】
0003145824.tif 000009